(57)【要約】【課題】発熱機器のサイズの変更に影響されずに、熱関連機器の上部吸気口側と下部吐出口側とを上下に区画することができる発熱機器内蔵キャビネットを提供する。【解決手段】上部排気口４と、下部吸気口５とを備えた発熱機器３を、キャビネット本体２の内部に備えるとともに、上部吸気口８と、下部吐出口９とを備えた熱関連機器６を、前記キャビネット本体２の内面に備えた発熱機器内蔵キャビネットであって、前記キャビネット本体２の内部の空間を、上部吸気口８側と下部吐出口９側とに、上下に区画する仕切板１０を、前記キャビネット本体２の内面、または前記熱関連機器６に取付けた。【選択図】図２
2015082505.tif 000002
【特許請求の範囲】
【請求項１】
上部排気口と、下部吸気口とを備えた発熱機器を、キャビネット本体の内部に備えるとともに、
上部吸気口と、下部吐出口とを備えた熱関連機器を、前記キャビネット本体の内面に備えた発熱機器内蔵キャビネットであって、
前記キャビネット本体の内部の空間を、上部吸気口側と下部吐出口側とに、上下に区画する仕切板を、前記キャビネット本体の内面、または前記熱関連機器に取付けたことを特徴とする発熱機器内蔵キャビネット。
【請求項２】
前記仕切板は、前記熱関連機器の正面側を上下に区画する前方仕切部と、前記熱関連機器の両側面側を上下に区画する側方仕切部とを備え、前記熱関連機器を跨ぐよう前記キャビネット本体の内面に取付けたことを特徴とする請求項１記載の発熱機器内蔵キャビネット。
【請求項３】
前記熱関連機器を、上下方向に移動可能としたことを特徴とする請求項２記載の発熱機器内蔵キャビネット。
【請求項４】
前記仕切板の、前記発熱機器の側面に向けた突出量を、変更可能としたことを特徴とする請求項１記載の発熱機器内蔵キャビネット。
【請求項５】
前記仕切板は、着脱自在とした延設板を備えたことを特徴とする請求項４記載の発熱機器内蔵キャビネット。
【請求項６】
前記仕切板に対してスライド可能とした延設板を備えたことを特徴とする請求項４記載の発熱機器内蔵キャビネット。
【請求項７】
前記仕切板は、ロールスクリーン構造を有し、伸縮自在としたことを特徴とする請求項４記載の発熱機器内蔵キャビネット。
【発明の詳細な説明】
【技術分野】
【０００１】
本発明は、発熱機器を内蔵したキャビネットに関するものである。
【背景技術】
【０００２】
キャビネット本体の内部には、様々な機器が内蔵されており、これらの機器は通電によって発熱する（以下、発熱機器）。これら発熱機器を冷却するために、キャビネット本体の内部には、熱関連機器（例えば、熱交換器、ペルチェ式冷却装置、コンプレッサー式冷却装置等）が取付けられている。発熱機器は、一般的に上部排気口と下部吸気口とを備えており、また熱関連機器は、前記上部排気口から排気される暖気を吸気するための上部吸気口と、発熱機器を冷却する冷気を吐出するための下部吐出口とを備えている。したがって、下部吐出口から吐出された冷気は、発熱機器の下部吸気口から吸気され、発熱機器内部の熱とともに上部排気口から排気され、上部排気口から排気された暖気は、熱関連機器の上部吸気口により吸気される。
【０００３】
しかしながら、発熱機器の上部排気口から排気される暖気が、熱関連機器の上部吸気口に吸い込まれない流れや、また熱関連機器の下部吐出口から吐出される冷気が、発熱機器の内部を通過しない流れが発生すると、キャビネット内部の冷却効率が低下する問題があった。そこで、特許文献１に示すように、発熱機器を跨ぐように、キャビネット本体の内部に仕切板を取付けることにより、熱関連機器の上部吸気口側と下部吐出口側とを上下に区画する技術が開示されている。
【０００４】
また特許文献１の発明は、仕切板と発熱機器との間に弾性部材を備えたことにより、発熱機器のサイズが多少変化しても、シール性を確保できるものとしている。しかしながら、発熱機器のサイズは大小様々であり、発熱機器のサイズを大幅に変更する際には、サイズを変更した仕切板を新設しなくてはならなかった。
【先行技術文献】
【特許文献】
【０００５】
【特許文献１】特開２０１３−３８３５５号公報
【発明の概要】
【発明が解決しようとする課題】
【０００６】
本発明の目的は前記した従来の問題点を解決し、発熱機器のサイズの変更に影響されずに、熱関連機器の上部吸気口側と下部吐出口側とを上下に区画することができる発熱機器内蔵キャビネットを提供することである。
【課題を解決するための手段】
【０００７】
上記課題を解決するためになされた本発明は、上部排気口と、下部吸気口とを備えた発熱機器を、キャビネット本体の内部に備えるとともに、上部吸気口と、下部吐出口とを備えた熱関連機器を、前記キャビネット本体の内面に備えた発熱機器内蔵キャビネットであって、前記キャビネット本体の内部の空間を、上部吸気口側と下部吐出口側とに、上下に区画する仕切板を、前記キャビネット本体の内面、または前記熱関連機器に取付けたことを特徴とするものである。
【０００８】
請求項２記載の発明は、請求項１記載の発熱機器内蔵キャビネットにおいて、前記仕切板は、前記熱関連機器の正面側を上下に区画する前方仕切部と、前記熱関連機器の両側面側を上下に区画する側方仕切部とを備え、前記熱関連機器を跨ぐよう前記キャビネット本体の内面に取付けたことを特徴とするものである。
【０００９】
請求項３記載の発明は、請求項２記載の発熱機器内蔵キャビネットにおいて、前記熱関連機器を、上下方向に移動可能としたことを特徴とするものである。
【００１０】
請求項４記載の発明は、請求項１記載の発熱機器内蔵キャビネットにおいて、前記仕切板の、前記発熱機器の側面に向けた突出量を、変更可能としたことを特徴とするものである。
【００１１】
請求項５記載の発明は、請求項４記載の発熱機器内蔵キャビネットにおいて、前記仕切板は、着脱自在とした延設板を備えたことを特徴とするものである。
【００１２】
請求項６記載の発明は、請求項４記載の発熱機器内蔵キャビネットにおいて、前記仕切板に対してスライド可能とした延設板を備えたことを特徴とするものである。
【００１３】
請求項７記載の発明は、請求項４記載の発熱機器内蔵キャビネットにおいて、前記仕切板は、ロールスクリーン構造を有し、伸縮自在としたことを特徴とするものである。
【発明の効果】
【００１４】
本発明に係る発熱機器内蔵キャビネットは、上部排気口と、下部吸気口とを備えた発熱機器をキャビネット本体の内部に備えるとともに、上部吸気口と、下部吐出口とを備えた熱関連機器をキャビネット本体の内面に備えたものであり、キャビネット本体の内部の空間を、上部吸気口側と下部吐出口側とに上下に区画する仕切板を、キャビネット本体の内面、または熱関連機器に取付けた。これにより、発熱機器のサイズの変更に影響されずに、熱関連機器の上部吸気口側と下部吐出口側とを上下に区画することができ、キャビネット本体の内部空間の冷却効率を向上させることができる。
【００１５】
また、仕切板は熱関連機器の正面側を上下に区画する前方仕切部と、熱関連機器の両側面側を上下に区画する側方仕切部とを備え、前記熱関連機器を跨ぐよう前記キャビネット本体の内面に取付けることが好ましく、これにより熱関連機器周りを上下に区画可能となるとともに、熱関連機器が取付けられるキャビネット本体の内面に、容易に仕切板を取付けることができる。
【００１６】
さらに、熱関連機器は上下方向に移動可能とすることが好ましく、これによって発熱機器の高さに応じて熱関連機器の設置位置を変更することが可能となる。なお、前記仕切板の発熱機器の側面に向けた突出量は、変更可能とすることが好ましく、また仕切板には延設板を着脱自在に備えることがより好ましい。さらに、前記延設板を仕切板に対してスライド可能としたり、前記仕切板にロールスクリーン構造を備え、伸縮自在とすることもできる。これらの構成により、発熱機器のサイズが大幅に変更となる場合でも、仕切板を新設することなく、容易に仕切板の長さを変更することができ、発熱機器のサイズに対応して、発熱機器の側面に向かって適切な突出量とした上で、仕切板を取付けることが可能となる。
【図面の簡単な説明】
【００１７】
【図１】本発明の実施形態を示す斜視図である。
【図２】本発明の実施形態を示す断面図である。
【図３】本発明の仕切板を示す斜視図である。
【図４】本発明の仕切板を示す斜視図である。
【図５】本発明の仕切板の取付部を、キャビネット本体の内部の前後面側に向けて形成した状態を示す斜視図である。
【図６】本発明の仕切板の突出角度を変更した状態を示す断面図である。
【図７】本発明の熱関連機器の取付高さを変更した状態を示す断面図である。
【図８】第２の実施形態を示す斜視図である。
【図９】第３の実施形態を示す斜視図である。
【図１０】第３の実施形態を示す分解斜視図である。
【図１１】第４の実施形態を示す断面図である。
【図１２】第５の実施形態を示す斜視図である。
【発明を実施するための形態】
【００１８】
以下に本発明の好ましい実施形態を示す。
図１において、発熱機器内蔵キャビネットは、前後面に扉１を備えた屋外用のキャビネット本体２と、このキャビネット本体２の内部に取付けられた、発熱機器３とを備えるものである。本実施形態では発熱機器３はパワーコンディショナである。前記発熱機器３は、天井面に上部排気口４を備えるとともに、正面下部に下部吸気口５を備えたものである。発熱機器３は前述の通り、通電により発熱するため、キャビネット本体２の内部の左右側面に取付けられる熱関連機器６によって冷却が行われる。なお、前記熱関連機器６は、コンプレッサー式冷却装置である。
【００１９】
なお、本明細書中における熱関連機器６とは、キャビネット本体２の内面に取付けられるものを指す。また本実施形態においては、図２のようにキャビネット本体２の外部に、熱関連機器６とは別に室外機７を設置し、この室外機７により放熱を行うものとしたが、キャビネット本体２の内部の熱を放熱できる構造を備えるものであればよい。また熱関連機器６は、コンプレッサー式冷却装置に限定されず、フィン型、水冷式、及びヒートパイプ式の熱交換器や、ペルチェ式冷却装置としてもよい。また、発熱機器３の上部排気口４は、天井面に限定されず、例えば発熱機器３の左右側面の上部に形成してもよく、下部吸気口５は正面側に限定されることはない。なお、本実施形態ではキャビネット本体２の前後面に扉１を形成したため、熱関連機器６をキャビネット本体２の前後面に取付けることができないことから、発熱機器３の天井面に上部排気口４を備えたものとしたが、キャビネット本体２の前後面に熱関連機器６が設置可能である場合には、発熱機器３の前後面に上部排気口４を備えることもできる。
【００２０】
本実施形態において、熱関連機器６は、図２に示すように、発熱機器３の上部排気口４から排気される暖気を吸気するための上部吸気口８と、発熱機器３を冷却する冷気を吐出するための下部吐出口９とを備えたものとし、キャビネット本体２の内部の左右側面にそれぞれ取付けられるものとした。これによって、キャビネット本体２の前後面に形成された扉１や、発熱機器３の扉を開閉した際に、後述する仕切板１０がその動作を阻害せず、また発熱機器３の前後面に操作部を備える場合でも、その操作が容易となる。したがって、図２の矢印で示すように、下部吐出口９から吐出された冷気は、発熱機器３の下部吸気口５から吸気され、発熱機器３内部の熱とともに上部排気口４から排気され、上部排気口４から排気された暖気は、熱関連機器６の上部吸気口８により吸気される。なお、熱関連機器６は、キャビネット本体２の内部の左右側面にそれぞれ取付けられるものとしたが、キャビネット本体２の内部の前面や後面に取付けてもよく、またキャビネット本体２のサイズにより必要とされる冷却能力に応じて、取付ける熱関連機器６の数を変更することが好ましい。
【００２１】
本実施形態では、図３及び図４に示す仕切板１０を、図２のように熱関連機器６を跨ぐようにキャビネット本体２の内部の左右側面に取付け、熱関連機器６の上部吸気口８側と下部吐出口９側とを上下に区画した。これにより、発熱機器３のサイズの変更に影響されずに、熱関連機器６の上部吸気口８側と下部吐出口９側とを上下に区画することが可能となり、キャビネット本体２の内部空間の冷却効率を向上させることができる。これは、発熱機器３のサイズは大小様々であるのに対し、熱関連機器６のサイズは発熱機器３と比較すると定格であることからも、本発明が有用であるといえる。なお、仕切板１０は熱関連機器６に取付けてもよい。
【００２２】
前記仕切板１０は、図２乃至図４に示すように、熱関連機器６の正面側を上下に区画する前方仕切部１１と、熱関連機器６の両側面側を上下に区画する側方仕切部１２とを備えるものとした。すなわち、仕切板１０は、熱関連機器６を跨いで、熱関連機器６の正面側と両側面側との３方向を上下に区画するものである。これにより熱関連機器６周りを隙間なく上下に区画可能となるとともに、熱関連機器６が取付けられるキャビネット本体２の内部の左右側面に、容易に仕切板１０を取付けることができる。なお、仕切板１０により熱関連機器６の周りを隙間なく上下に区画することが好ましく、また、前方仕切部１１の発熱機器側の端部は発熱機器３の上部排気口４より下側に位置していることが好ましい。
【００２３】
仕切板１０には、取付部１３が形成されており、この取付部１３によって、熱関連機器６が設置されるキャビネット本体２の内部の左右側面側のフレームやレール等に、ネジ孔１４を介して仕切板１０がネジ止めされる。なお、仕切板１０は側方仕切部１２を備えない場合や、キャビネット本体２の内部の前後面側のフレームやレール等に仕切板１０を取付ける必要がある場合には、図５のように取付部１３をキャビネット本体２の内部の前後面側に向けて形成することができる。一方、仕切板１０を熱関連機器６に取付ける場合は、ネジ止め、または爪による係合等により取付けることも可能である。
【００２４】
本実施形態においては、仕切板１０を発熱機器３の側面に向けて略水平方向に突出させて取り付けているが、発熱機器３の高さに応じて図６に示すように、突出角度を変更する等、その突出方向を変更して取付けることができる。また、発熱機器３の高さに対応して、図７に示すように、熱関連機器６の高さを変更することも可能である。このとき、仕切板１０のサイズは変更されることなく、キャビネット本体２の内部の左右側面に取付けられる。
【００２５】
また、仕切板１０は、発熱機器３のサイズの変更に対応して、発熱機器３の側面に向けた突出量を変更可能とすることができる。例えば、第２の実施形態として図８に示すように、仕切板１０は、延設部としての延設板１６を、ボルト１５と図示しないナットとによって着脱自在に取付けることができる構成としてもよい。さらに、第３の実施形態として図９及び図１０に示すように、前記延設板１６に長孔１７を形成し、延設板１６を仕切板１０に対してスライド可能としたり、第４の実施形態として図１１に示すように、前記仕切板１０に、軸に巻かれたロールスクリーンの先端を引き出すことができるロールスクリーン構造を備え、フック１８等によって発熱機器３の側面に伸縮自在に取付ける構成とすることも可能である。これら第２乃至第４の実施形態に示す構成により、発熱機器３のサイズが大幅に変更となる場合でも、仕切板１０を新設することなく、容易に仕切板１０の長さを変更することができ、発熱機器３のサイズに対応して、発熱機器３の側面に向かって適切な突出量とした上で、仕切板１０を取付けることが可能となる。また、実施形態５として図１２に示すように、延設板１６を前後方向に２つに分割することで、それぞれの延設板１６の間に空間を形成し、その空間に発熱機器３が位置することで、発熱機器３の前後方向も仕切ることが可能となる。
【００２６】
なお、本実施形態においては、発熱機器３を内蔵した屋外用のキャビネットとしたが、本発明は屋内用のキャビネットにも適用可能であり、また発熱機器３はパワーコンディショナのみならず、その他分電盤や制御盤、またはサーバラック等であってもよい。
【符号の説明】
【００２７】
１  扉
２  キャビネット本体
３  発熱機器
４  上部排気口
５  下部吸気口
６  熱関連機器
７  室外機
８  上部吸気口
９  下部吐出口
１０  仕切板
１１  前方仕切部
１２  側方仕切部
１３  取付部
１４  ネジ孔
１５  ボルト
１６  延設板
１７  長孔
１８  フック
【図３】
2015082505.tif 000003
【図４】
2015082505.tif 000004
【図８】
2015082505.tif 000005
【図９】
2015082505.tif 000006
【図１０】
2015082505.tif 000007
【図１２】
2015082505.tif 000008
【図１】
2015082505.tif 000009
【図２】
2015082505.tif 000010
【図５】
2015082505.tif 000011
【図６】
2015082505.tif 000012
【図７】
2015082505.tif 000013
【図１１】
2015082505.tif 000014